(57)【特許請求の範囲】
【請求項１】
給水管及び給湯管と連通した熱交換器と、
前記熱交換器を加熱するバーナと、
前記熱交換器をバイパスして、前記給水管と前記給湯管を連通するバイパス管と、
前記バイパス管の開度を変更するバイパス開度変更弁と、
前記給湯管と前記バイパス管の接続箇所よりも下流側の前記給湯管内の湯水の温度を検出する給湯温度センサと、
前記給水管に供給される水の流量を検出する水量センサと、
前記水量センサの検出流量が所定の給湯開始流量以上になったときに、前記給湯温度センサの検出温度が所定の設定温度となるように、前記バーナによる加熱量の調節と前記バイパス開度変更弁による前記バイパス管の開度の調節とのうちの少なくともいずれか一方を行う給湯運転を開始し、その後、前記水量センサの検出流量が前記給湯開始流量以下に設定された給湯停止流量未満になったときに、前記給湯運転を停止する給湯制御部と、
前記給湯制御部が前記給湯運転を開始する時に、前回の給湯運転の停止時からの経過時間が所定の低温開始判定時間以上であるときには、該給湯運転の開始時から所定のバイパス調節禁止期間が経過するまでの間、前記バイパス開度変更弁により前記バイパス管を開状態に維持するバイパス調節禁止部と
を備えたことを特徴とする給湯装置。
【請求項２】
給水管及び給湯管と連通した熱交換器と、
前記熱交換器を加熱するバーナと、
前記熱交換器をバイパスして、前記給水管と前記給湯管を連通するバイパス管と、
前記バイパス管の開度を変更するバイパス開度変更弁と、
前記給湯管と前記バイパス管の接続箇所よりも下流側の前記給湯管内の湯水の温度を検出する給湯温度センサと、
前記給水管に供給される水の流量を検出する水量センサと、
前記熱交換器又は前記給湯管内の湯水の温度を検出する内部温度センサと、
前記水量センサの検出流量が所定の給湯開始流量以上になったときに、前記給湯温度センサの検出温度が所定の設定温度となるように、前記バーナによる加熱量の調節と前記バイパス開度変更弁による前記バイパス管の開度の調節とのうちの少なくともいずれか一方を行う給湯運転を開始し、その後、前記水量センサの検出流量が前記給湯開始流量以下に設定された給湯停止流量未満になったときに、前記給湯運転を停止する給湯制御部と、
前記給湯制御部が前記給湯運転を開始する時に、前記内部温度センサの検出温度が所定の低温開始判定温度以下であるときには、該給湯運転の開始時から所定のバイパス調節禁止期間が経過するまでの間、前記バイパス開度変更弁により前記バイパス管を開状態に維持するバイパス調節禁止部と
を備えたことを特徴とする給湯装置。
【請求項３】
請求項１又は請求項２に記載の給湯装置において、
前記バイパス調節禁止部は、前記給湯制御部が前記給湯運転を開始する時に、前記水量センサの検出水量が所定の上限流量以上であるときに限定して、該給湯運転の開始時から前記バイパス調節禁止期間が経過するまでの間、前記バイパス管を開状態に維持することを特徴とする給湯装置。
【発明の詳細な説明】
【技術分野】
【０００１】
本発明は、給水管及び給湯管と接続された熱交換器により、給水管から供給される水を加熱して給湯管に出湯する給湯装置に関する。
【背景技術】
【０００２】
従来より、給水管及び給湯管と接続された熱交換器と、熱交換器をバイパスして給水管と給湯管を連通するバイパス管と、給水管から熱交換器に供給される水の流量と、給水管からバイパス管に流れる水の流量の分配率を変更するミキシングバルブとを備えた給湯装置が知られている（例えば、特許文献１参照）。
【０００３】
ミキシングバルブを備えた給湯装置においては、給湯管のバイパス管との接続箇所の下流側に設けられた給湯温度センサにより検出される給湯温度を、設定温度と一致させるように、給水管から熱交換器に供給される水の流量と、給水管からバイパス管に供給される水の流量の分配率を調節して給湯運転を行っている。
【０００４】
特許文献１に記載された給湯装置においては、給湯温度センサの検出温度が設定温度−１０℃よりも高いホットスタート状態で給湯運転を開始した時には、給湯温度が設定温度以上となるまでミキシングバルブの動作を停止させている。そして、これにより、ミキシングバルブの作動により生じる給湯温度のオーバーシュートによって、給湯温度が設定温度に収束するまでの時間が長くなることを抑制している。
【先行技術文献】
【特許文献】
【０００５】
【特許文献１】特開昭６３−１９７８４８号公報
【発明の概要】
【発明が解決しようとする課題】
【０００６】
特許文献１に記載された給湯装置においては、給湯温度センサの検出温度が設定温度よりも低いコールドスタート状態で給湯運転を開始したときには、給湯温度を速やかに設定温度まで上昇させるために、ミキシングバルブがバイパス管への給水流量を減少させる方向に制御されて、給水管から熱交換器に供給される水の流量が急増する。
【０００７】
そして、このように、熱交換器に供給される水の流量が急増したときに、熱交換器内を流通する大流量の水により、使用者にとって耳障りな音が生じる場合がある。
【０００８】
本発明は上記背景に鑑みてなされたものであり、給湯運転の開始時に耳障りな音が生じることを防止した給湯装置を提供することを目的とする。
【課題を解決するための手段】
【０００９】
本発明は上記目的を達成するためになされたものであり、
給水管及び給湯管と連通した熱交換器と、
前記熱交換器を加熱するバーナと、
前記熱交換器をバイパスして、前記給水管と前記給湯管を連通するバイパス管と、
前記バイパス管の開度を変更するバイパス開度変更弁と、
前記給湯管と前記バイパス管の接続箇所よりも下流側の前記給湯管内の湯水の温度を検出する給湯温度センサと、
前記給水管に供給される水の流量を検出する水量センサと、
前記水量センサの検出流量が所定の給湯開始流量以上になったときに、前記給湯温度センサの検出温度が所定の設定温度となるように、前記バーナによる加熱量の調節と前記バイパス開度変更弁による前記バイパス管の開度の調節とのうちの少なくともいずれか一方を行う給湯運転を開始し、その後、前記水量センサの検出流量が前記給湯開始流量以下に設定された給湯停止流量未満になったときに、前記給湯運転を停止する給湯制御部とを備える。
【００１０】
そして、第１発明は、前記給湯制御部が前記給湯運転を開始する時に、前回の給湯運転の停止時からの経過時間が所定の低温開始判定時間以上であるときには、該給湯運転の開始時から所定のバイパス調節禁止期間が経過するまでの間、前記バイパス開度変更弁により前記バイパス管を開状態に維持するバイパス調節禁止部を備えたことを特徴とする。
【００１１】
第１発明において、前記給湯制御部が前記給湯運転を開始する時に、前回の給湯運転の停止時からの経過時間が前記低温開始判定時間以上であったときには、時間の経過により前記熱交換器及び前記給湯管内に滞留していた湯が低温になっていると想定される。この場合に、前記給湯運転において、前記給湯温度センサの検出温度が前記設定温度となるように、前記バイパス開度変更弁により前記バイパス管に供給される水の流量を調節すると、給湯温度を速やかに上昇させるために前記バイパス管が閉弁されて、前記熱交換器に供給される水の流量が急増する状況となる。その結果、前記熱交換器を流通する大流量の水によって、使用者にとって耳障り音が発生する。
【００１２】
そこで、前記バイパス調節禁止部は、前記給湯制御部が前記給湯運転を開始する時に、前回の給湯運転の停止時からの経過時間が前記低温開始判定時間以上であるときには、該給湯運転の開始時から前記バイパス調節禁止期間が経過するまでの間、前記バイパス管を開状態に維持して、前記給水管から前記バイパス管側にある程度水が供給される状態とする。これにより、前記バイパス管側に供給される水の流量分だけ、前記熱交換器に供給される水の流量の増加が抑制されるため、前記熱交換器を流通する水により耳障りな音が発生することを防止することができる。
【００１３】
次に、第２発明は、前記熱交換器又は前記給湯管内の湯水の温度を検出する内部温度センサと、前記給湯制御部が前記給湯運転を開始する時に、前記内部温度センサの検出温度が所定の低温開始判定温度以下であるときには、該給湯運転の開始時から所定のバイパス調節禁止期間が経過するまでの間、前記バイパス開度変更弁により前記バイパス管を開状態に維持するバイパス調節禁止部を備えたことを特徴とする。
【００１４】
第２発明において、前記給湯制御部が前記給湯運転を開始する時に、前記給湯温度センサの検出温度が前記低温開始判定温度以下であった場合に、前記給湯温度センサの検出温度が前記設定温度となるように、前記バイパス開度変更弁により前記バイパス管に供給される水の流量を調節すると、給湯温度を速やかに上昇させるために前記バイパス管が閉弁されて、前記熱交換器に供給される水の流量が急増する状況となる。その結果、前記熱交換器を流通する大流量の水によって、使用者にとって耳障りな音が発生する。
【００１５】
そこで、前記バイパス調節禁止部は、前記給湯制御部が前記給湯運転を開始する時に、前記給湯温度センサの検出温度が前記低温開始判定温度以下であるときには、該給湯運転の開始時から前記バイパス調節禁止期間が経過するまでの間、前記バイパス管を開状態に維持して、前記給水管から前記バイパス管側にある程度水が供給される状態とする。これにより、前記バイパス管側に供給される水の流量分だけ、前記熱交換器に供給される水の流量の増加が抑制されるため、前記熱交換器を流通する水により耳障りな音が発生することを防止することができる。
【００１６】
また、第３発明は、前記第１発明又は第２発明において、前記バイパス調節禁止部は、前記給湯制御部が前記給湯運転を開始する時に、前記水量センサの検出水量が所定の上限流量以上であるときに限定して、該給湯運転の開始時から前記バイパス調節禁止期間が経過するまでの間、前記バイパス管を開状態に維持することを特徴とする。
【００１７】
第３発明によれば、前記給湯制御部が前記給湯運転を開始する時に、前記水量センサの検出流量が前記上限流量未満であるときには、前記バイパス開度変更弁により前記バイパス管を閉状態としても、前記熱交換器に供給される水の流量がさほど大きくならないため、前記熱交換器内を流通する水により耳障りな音が発生することはない。そこで、この場合には、前記バイパス調節禁止期間を設定せずに、前記バイパス開度変更弁により前記バイパス管を閉弁することによって、前記給湯管から供給される湯の温度を速やかに上昇させて、前記設定温度に一致させることができる。
【図面の簡単な説明】
【００１８】
【図１】給湯装置の構成図。
【図２】給湯装置の作動フローチャート。
【図３】コールドスタート状態でバイパス管を開状態に維持することによる効果の説明図。
【発明を実施するための形態】
【００１９】
本発明の実施形態について、図１〜図３を参照して説明する。
【００２０】
図１に示したように、本実施形態の給湯装置は、その本体１に、バーナ２（大バーナ２ａ、中バーナ２ｂ、小バーナ２ｃにより構成されている）を内蔵した缶体３を備えている。缶体３は、バーナ２を収容する燃焼室３ａと、燃焼室３ａの上方に延びて燃焼排気が上昇する排気路３ｂとを形成しており、排気路３ｂの上端部で開口する排気口３ｃを備えている。
【００２１】
燃焼室３ａには、バーナ２に点火するための点火プラグ４と、バーナ２の燃焼炎を検出するフレームロッド５とが設けられている。点火プラグ４はイグナイタ６により駆動される。缶体３の下部には、燃焼室３ａ内にバーナ２の燃焼用空気を強制的に送る燃焼ファン７が設けられている。
【００２２】
また、給湯装置の本体１には、給湯装置の全体的な作動を制御するコントローラ４０が備えられている。コントローラ４０は、図示しないＣＰＵ、メモリ等により構成された電子回路ユニットであり、メモリに保持された給湯装置の制御用プログラムをＣＰＵで実行することにより、給湯制御部４１及びバイパス調節禁止部４２として機能する。
【００２３】
バーナ２を構成する大バーナ２ａ、中バーナ２ｂ、小バーナ２ｃは最大燃焼量が異なっており、燃焼させるバーナの組み合わせによってバーナ２全体の燃焼量を広範囲に調節することができるようになっている。バーナ２には、燃料ガス供給管９を介して燃料ガスが供給される。燃料ガス供給管９には、上流側から順に元ガス電磁弁１０及びガス比例弁１１が設けられている。
【００２４】
燃料ガス供給管９は、ガス比例弁１１の下流において、大バーナ用ガス電磁弁１２ａを介して大バーナ２ａに接続される経路と、中バーナ用ガス電磁弁１２ｂを介して中バーナ２ｂに接続される経路と、小バーナ用ガス電磁弁１２ｃを介して小バーナ２ｃに接続される経路とに分岐している。
【００２５】
缶体３の内部において、バーナ２の直上位置に顕熱熱交換器１３が設けられ、顕熱熱交換器１３の上方位置となる排気路３ｂの内部に潜熱熱交換器１４が設けられている。なお、顕熱熱交換器１３と潜熱熱交換器１４は、本発明の熱交換器に相当する。
【００２６】
顕熱熱交換器１３の上方位置の潜熱熱交換器１４の下方位置に、潜熱熱交換器１４から滴下した酸性のドレンを集めるためのドレン受け皿部１５が配置されている。ドレン受け皿部１５には、ドレン導出管１６を介して中和器１７が接続されており、中和器１７内の中和剤によって中和されたドレンが、排水管１８を介して給湯装置の外部に排水されるようになっている。
【００２７】
また、本実施形態の給湯装置は、図示しない水道管と接続されて、水道管から供給される水が流通する通水路１９を備えている。顕熱熱交換器１３と潜熱熱交換器１４は通水路１９の途中に直列に接続されている。
【００２８】
顕熱熱交換器１３は、缶体３内の燃焼排気から顕熱を吸収して、内部を流通する水を加熱する。潜熱熱交換器１４は通水路１９における顕熱熱交換器１３の上流側に配置されて、顕熱熱交換器１３を経由して上昇する燃焼排気から潜熱を回収し、顕熱熱交換器１３よりも先に通水路１９内の水を加熱する。
【００２９】
通水路１９は、水道管と接続されて潜熱熱交換器１４に水を供給する給水管２０と、顕熱熱交換器１３により加熱生成された湯が出湯される給湯管２１とを含んでいる。給水管２０には、給水管２０の開度を調節する水量サーボ弁２２と、給水管２０に供給される水の流量を検出する水量センサ２３とが設けられている。
【００３０】
顕熱熱交換器１３の出口付近の給湯管２１には、顕熱熱交換器１３からの出湯温度を検知する熱交出湯温度センサ２４が設けられている。さらに、給水管２０と給湯管２１との間には、顕熱熱交換器１３及び潜熱熱交換器１４をバイパスして、給水管２０に供給される水の一部を給湯管２１に混入させるバイパス管２５と、バイパス管２５の開度を調節するバイパスサーボ弁２６（本発明のバイパス開度変更弁に相当する）とが設けられている。
【００３１】
バイパス管２５との接続箇所の下流側の給湯管２１には、給湯管２１からの給湯温度を検出する給湯温度センサ２７と、過剰な圧力を受けた際に開弁する過圧逃がし弁を備えた第１水抜き栓２８とが設けられている。給湯管２１の下流には、例えば使用者が操作する図示しない給湯栓（給湯カラン等）が接続される。
【００３２】
顕熱熱交換器１３と潜熱熱交換器１４との間の通水路１９には、潜熱熱交換器用水抜き管２９がトラップ３０を介して接続されている。潜熱熱交換器用水抜き管２９の下流端には第２水抜き栓３１が設けられている。給湯装置の使用者は、第２水抜き栓３１を開栓することで潜熱熱交換器１４内部の水を容易に抜き取ることができる。
【００３３】
さらに、顕熱熱交換器１３と第２水抜き栓３１との間の通水路１９には、顕熱熱交換器１３と前記潜熱熱交換器１４との間の湯水の温度を検出する熱交換器間水温センサ３２が設けられている。
【００３４】
また、コントローラ４０には、使用者による給湯装置の運転／待機状態の切替操作や、給湯の設定温度の変更操作等が行われるリモコン５０がリモコンケーブル５５を介して接続されている。リモコン５０は、給湯装置の作動状態等を表示する表示器５１と、スイッチ部５２とを備えている。
【００３５】
さらに、コントローラ４０には、フレームロッド５からの炎検出信号、水量センサ２３からの流量検出信号、熱交出湯温度センサ２４からの温度検出信号、給湯温度センサ２７からの温度検出信号、及び、熱交換器間水温センサ３２からの温度検出信号が入力される。
【００３６】
また、コントローラ４０から出力される制御信号によって、イグナイタ６（点火プラグ４）、燃焼ファン７、元ガス電磁弁１０、ガス比例弁１１、大バーナ用ガス電磁弁１２ａ、中バーナ用ガス電磁弁１２ｂ、小バーナ用ガス電磁弁１２ｃ、水量サーボ弁２２、及び、バイパスサーボ弁２６の作動が制御される。
【００３７】
次に、コントローラ４０は、水量センサ２３により検出される給水管２０への給水流量に応じて、給湯運転を実行する。以下、図２に示したフローチャートに従って、コントローラ４０による給湯運転の実行手順について説明する。
【００３８】
図２のＳＴＥＰ１はコントローラ４０の給湯制御部４１による処理である。給湯制御部４１は、水量センサ２３により検出される給水管２０への給水流量が給湯開始流量以上であるか否かを判断し、給水流量が給湯開始流量以上であるときにＳＴＥＰ２に進む。
【００３９】
続くＳＴＥＰ２〜ＳＴＥＰ５、及びＳＴＥＰ７〜ＳＴＥＰ８は、バイパス調節禁止部４２による処理である。バイパス調節禁止部４２は、ＳＴＥＰ２で、顕熱熱交換器１３及び給湯管２１内の湯水の温度が低下したコールドスタート状態であるか否かを判断する。具体的には、前回の給湯運転の停止時からの経過時間が、予め設定された低温開始判定時間（例えば、８分）以上であったときに、コントローラ４０は、コールドスタート状態であると判定する。
【００４０】
ここで、低温開始判定時間は、給湯運転を停止した時点からの自然冷却によって、顕熱熱交換器１３及び給湯管２１内の湯水の温度が、給水管２０への給水温度程度まで低下する時間を想定して、この時間程度に設定したものである。
【００４１】
なお、コールドスタート状態の別の判断条件として、熱交出湯温度センサ２４により検出される顕熱熱交換器１３の出口付近の給湯管２１内の湯水の温度、又は給湯温度センサ２７により検出されるバイパス管２５との接続箇所の下流側の給湯管２１内の湯水の温度が、所定の低温開始判定温度以下であるときに、コールドスタート状態であると判断してもよい。この場合の熱交出湯温度センサ２４と給湯温度センサ２７は、本発明の内部温度センサに相当する。
【００４２】
ＳＴＥＰ２で、コールドスタート状態であると判断したときはＳＴＥＰ３に進み、バイパス調節禁止部４２は、水量センサ２３により検出される給水管２０への給水流量が上限流量以上であるか否かを判断する。ここで、上限流量は、バイパスサーボ弁２６によりバイパス管２５を全閉状態として、給水管２０に供給される水を全て潜熱熱交換器１４及び顕熱熱交換器１３側に供給しても、潜熱熱交換器１４及び顕熱熱交換器１３内を流通する水によって、耳障りな音が生じない流量の上限を想定して設定されている。
【００４３】
ＳＴＥＰ３で、給水流量が上限流量以上であるときはＳＴＥＰ４に進み、バイパス調節禁止部４２は、バイパスサーボ弁２６の開度を初期開度Ｖａ１（例えば、全開の１０％程度の開度）に固定して、バイパスサーボ弁２６の開度調節を禁止する。そして、バイパス調節禁止部４２は、続くＳＴＥＰ５でタイマをスタートさせる。また、ＳＴＥＰ６で、給湯制御部４１がバーナ２に点火して給湯運転を開始する。
【００４４】
ＳＴＥＰ５のタイマの設定時間（本発明のバイパス調節禁止期間に相当する）は、ＳＴＥＰ６で給湯運転が開始された後、バーナ２による加熱により、顕熱熱交換器１３から給湯管２１への出湯温度が、バイパスサーボ弁２６を閉弁して潜熱熱交換器１４及び顕熱熱交換器１３への給水流量を増加させる必要がなくなる程度まで、上昇する際の所要時間を想定して設定されている。
【００４５】
また、給湯制御部４１は、基本的には、給湯温度センサ２７の検出温度が設定温度と一致するように、(1)「バーナ２の燃焼量（バーナ２による加熱量）の調節」、(2)「バイパスサーボ弁２６によるバイパス管２５側に分配される水の流量の調節」、及び(3)「バーナ２の燃焼量を最大にしても設定温度での給湯を行うことができない場合の水量サーボ弁２２による給水流量の制限」、を行って給湯運転を実行する。
【００４６】
しかし、ＳＴＥＰ４で、バイパス調節禁止部４２がバイパスサーボ弁２６の開度をＶa1に固定して、バイパスサーボ弁２６によるバイパス管２５の開度調節を禁止している。そのため、給湯制御部４１は、上記(1)「バーナ２の燃焼量の調節」と、(3)「水量サーボ弁２２による給水流量の制限」のみを行って給湯運転を実行する。
【００４７】
そして、続くＳＴＥＰ７でタイマがタイムアップしたときにＳＴＥＰ８進み、バイパス調節禁止部４２は、バイパスサーボ弁２６の開度調節の禁止を解除する。これにより、以後は、給湯制御部４１は、上記(2)の「バイパスサーボ弁２６によるバイパス管２５側に分配される水の流量の調節」も行って給湯運転を実行する。
【００４８】
一方、ＳＴＥＰ２でコールドスタート状態でないと判断したとき、及びＳＴＥＰ３で給水管２０への給水流量が上限流量未満であったときには、ＳＴＥＰ２０に分岐し、給湯制御部４１は、上記(1)「バーナの燃焼量の調節」、(2)「バイパスサーボ弁２６によるバイパス管２５側に分配される水の流量の調節」、及び(3)「水量サーボ弁２２による給水流量の制限」を行う給湯運転を開始し、ＳＴＥＰ９に進む。
【００４９】
ここで、ＳＴＥＰ２でコールドスタート状態でないときには、顕熱熱交換器１３及び給湯管２１内にある程度高温の湯が滞留しているため、給湯開始時にバイパスサーボ弁２６を閉弁して顕熱熱交換器１３で加熱される水の流量を増加させる必要がない。
【００５０】
また、ＳＴＥＰ３で給水管２０への給水流量が上限流量未満であって、給水管２０への給水流量が小さいときには、バイパスサーボ弁２６を閉弁して潜熱熱交換器１４及び顕熱熱交換器１３内を流通する水による耳障り音が生じない。そのため、バイパスサーボ弁２６の開度調節を禁止せずに、給湯運転を実行することにより、バイパスサーボ弁２６を閉弁して給湯温度を速やかに設定温度まで上昇させることができる。
【００５１】
ここで、図３（ａ）は、コールドスタート状態で、ＳＴＥＰ４〜ＳＴＥＰ８の処理を行わずに、給湯運転を開始した場合の潜熱熱交換器１４及び顕熱熱交換器１３への給水流量Ｒ１と、バイパスサーボ弁２６の開度ＶＰ１の変化を、縦軸を給水流量Ｒ１及び開度ＶＰ１に設定し、横軸を経過時間（ｔ）に設定して示したものである。
【００５２】
図３（ａ）では、ｔ11で給水管２０への給水流量が給湯開始流量以上になって、コントローラ４０による給湯運転が開始されている。コントローラ４０は、給湯温度を速やかに設定温度まで上昇させるために、バイパスサーボ弁２６を全閉状態まで作動させる。これにより、潜熱熱交換器１４及び顕熱熱交換器１３への給水流量Ｒ１が急増し、給水流量Ｒ１がピークのＲp1となるｔ12付近で、潜熱熱交換器１４及び顕熱熱交換器１３内を流通する水により、使用者にとって耳障りな音が発生する。
【００５３】
なお、本実施形態では、給水管２０への給水流量を一定流量以下に制限する処理を行っているので、ｔ12を過ぎた時点で水量サーボ弁２２の開度の減少により、給水流量Ｒ１が減少している。また、顕熱熱交換器１３からの出湯温度の上昇により、ｔ13からバイパスサーボ弁２６の開度が増加して、潜熱熱交換器１４及び顕熱熱交換器１３への給水流量Ｒ１が減少している。
【００５４】
それに対して、図３（ｂ）は、コールドスタート状態で、ＳＴＥＰ４〜ＳＴＥＰ８の処理を行って、給湯運転を開始した場合の潜熱熱交換器１４及び顕熱熱交換器１３への給水流量Ｒ２と、バイパスサーボ弁２６の開度ＶＰ２の変化を、縦軸を給水流量Ｒ２及び開度ＶＰ２に設定し、横軸を経過時間（ｔ）に設定して示したものである。
【００５５】
図３（ｂ）では、ｔ21で給水管２０への給水流量が給湯開始流量以上になって、コントローラ４０による給湯運転が開始されているが、ＳＴＥＰ４によりバイパスサーボ弁２６の開度調節が禁止されている。そのため、ＳＴＥＰ７でタイマがタイムアップするｔ22まで、バイパスサーボ弁２６の開度が初期開度Ｖa1に固定される。
【００５６】
このように、バイパスサーボ弁２６の開度ＶＰ２が初期開度Ｖa1となっている間は、バイパス管２５側に流れる水の流量分だけ、潜熱熱交換器１４及び顕熱熱交換器１３への給水流量の増加が抑制される。これにより、給水流量Ｒ２のピークが図３（ａ）の場合のＲp1よりも小さいＲp2となるため、潜熱熱交換器１４及び顕熱熱交換器１３内を流通する水によって、使用者にとって耳障りな音が発生することを防止することができる。
【００５７】
図３（ｂ）では、ｔ23を過ぎた時点で水量サーボ弁２２の開度の減少により、給水流量Ｒ２が減少している。また、顕熱熱交換器１３からの出湯温度の上昇により、ｔ24からバイパスサーボ弁２６の開度が増加して、潜熱熱交換器１４及び顕熱熱交換器１３への給水流量Ｒ２が減少している。
【００５８】
ＳＴＥＰ９〜ＳＴＥＰ１０は、給湯制御部４１による処理である。給湯制御部４１は、ＳＴＥＰ９で、水量センサ２３により検出される給水管２０への給水流量が給湯停止流量（給湯開始流量以下に設定される）未満になったか否かを判断する。
【００５９】
そして、給水管２０への給水流量が給湯停止流量未満になったときにＳＴＥＰ１０に進み、給湯制御部４１は、バーナ２を消火して給湯運転を停止し、ＳＴＥＰ１１に進んで処理を終了する。
【００６０】
なお、本実施の形態では、ＳＴＥＰ２でコールドスタート状態であると判断したときに、ＳＴＥＰ３に進んで、水量センサ２３により検出される給水管２０への給水流量が上限水量以上であるか否かを判断したが、この判断を行わない場合にも本発明の効果を得ることができる。
【００６１】
また、本実施形態では、熱交換器として潜熱熱交換器１４と顕熱熱交換器１３を備えた給湯装置を示したが、熱交換器として顕熱熱交換器のみを備えた給湯装置に対しても、本発明の適用が可能である。
【符号の説明】
【００６２】
２…バーナ、１３…顕熱熱交換器、１４…潜熱熱交換器、１９…通水路、２０…給水管、２１…給湯管、２２…水量サーボ弁、２３…水量センサ、２５…バイパス管、２６…バイパスサーボ弁、４０…コントローラ、４１…給湯制御部、４２…バイパス調節禁止部。
【図２】
0005579150.tif 000002
【図３】
0005579150.tif 000003
【図１】
0005579150.tif 000004